(57)【要約】【課題】患者に適した検査の注意文書を作成することを目的とする。【解決手段】予定される検査の種類に基づいて、検査の注意事項を特定する特定手段と、検査の対象となる患者の患者関連情報に基づいて、注意事項の重要度を決定する重要度決定手段と、重要度に基づいて、注意事項が記載された注意文書を作成する作成手段とを有する。【選択図】図２
2015215796.tif 000002
【特許請求の範囲】
【請求項１】
予定される検査の種類に基づいて、前記検査の注意事項を特定する特定手段と、
前記検査の対象となる患者の患者関連情報に基づいて、前記注意事項の重要度を決定する重要度決定手段と、
前記重要度に基づいて、前記注意事項が記載された注意文書を作成する作成手段と
を有することを特徴とする情報処理装置。
【請求項２】
前記特定手段は、複数の注意事項を特定し、
前記重要度決定手段は、前記注意事項の内容及び前記患者関連情報に基づいて、第１の重要度を決定し、
前記第１の重要度に従い、前記注意事項の記載順位を決定する記載順位決定手段をさらに有し、
前記作成手段は、前記記載順位に従い、前記注意文書に各注意事項を配置することを特徴とする請求項１に記載の情報処理装置。
【請求項３】
前記記載順位決定手段は、前記患者関連情報に基づいて、各注意事項を前記注意文書に記載するか否かをさらに決定することを特徴とする請求項２に記載の情報処理装置。
【請求項４】
登録患者の患者関連情報と、前記第１の重要度とを対応付けて記憶する第１の記憶手段をさらに有し、
前記重要度決定手段は、前記第１の記憶手段を参照し、前記第１の重要度を決定することを特徴とする請求項２又は３に記載の情報処理装置。
【請求項５】
前記重要度決定手段は、前記注意事項の内容及び前記患者関連情報に基づいて、前記第１の重要度と異なる第２の重要度を決定し、
前記第２の重要度に従い、前記注意事項に対する強調表示の有無を決定する強調表示決定手段をさらに有し、
前記作成手段は、強調表示を行うと決定された前記注意事項を強調表示することを特徴とする請求項４に記載の情報処理装置。
【請求項６】
登録患者の患者関連情報と、前記第２の重要度とを対応付けて記憶する第２の記憶手段をさらに有し、
前記重要度決定手段は、前記第２の記憶手段を参照し、前記第２の重要度を決定することを特徴とする請求項５に記載の情報処理装置。
【請求項７】
前記患者関連情報は、生活習慣、服用薬剤及びアレルギーの有無のうち少なくとも１つを含むことを特徴とする請求項１乃至６何れか１項に記載の情報処理装置。
【請求項８】
情報処理装置が実行する情報処理方法であって、
予定される検査の種類に基づいて、前記検査の注意事項を特定する特定ステップと、
前記検査の対象となる患者の患者関連情報に基づいて、前記注意事項の重要度を決定する重要度決定ステップと、
前記重要度に基づいて、前記注意事項が記載された注意文書を作成する作成ステップと
を含むことを特徴とする情報処理方法。
【請求項９】
コンピュータを、
予定される検査の種類に基づいて、前記検査の注意事項を特定する特定手段と、
前記検査の対象となる患者の患者関連情報に基づいて、前記注意事項の重要度を決定する重要度決定手段と、
前記重要度に基づいて、前記注意事項が記載された注意文書を作成する作成手段と
て機能させるためのプログラム。
【発明の詳細な説明】
【技術分野】
【０００１】
本発明は、情報処理装置、情報処理方法及びプログラムに関する。
【背景技術】
【０００２】
近年、診療内容に対する患者の理解や同意を得るために、インフォームドコンセント等の説明機会において、医療従事者が患者に診療内容を説明することの重要性が高まっている。同様に、検査においても検査の目的、内容、リスクに関する説明を行うことは重要である。人間ドックの受診率の上昇等からも、外来で検査を受ける場面は増加していると考えられる。
また、従来から患者の疾患情報に基づいて、患者が読む文書をカスタマイズする技術が知られている。特許文献１には、問診票の回答結果より得られた患者の疾患情報に応じて実施項目を取捨選択し、教育プログラムを作成する技術が開示されている。
【先行技術文献】
【特許文献】
【０００３】
【特許文献１】特開２００４−１４５５０７号公報
【発明の概要】
【発明が解決しようとする課題】
【０００４】
外来や人間ドックの検査予約時には、検査予定者は、検査の同意書、検査目的や方法の説明書と同時に検査に関する注意事項書を渡される。従来、注意事項書は同じ検査を受ける患者には同じ文面の文書が渡されていたが、患者が検査について理解し、納得した上で、注意事項を正しく守ることのできる文書が提供されることが重要になっている。
従来の注意事項書は、個人毎にカスタマイズされたものでないため、検査予定者によっては、不要となるような事項も多く含まれている。このため、重要な事項が読み飛ばされる、注意事項が最後まで読まれないといった事態が発生していた。このような事態は、注意事項を守らずに来院し、検査ができないという事態を引き起こし、ひいては患者の治療の遅れ、検査機器や医師等の稼働率の低下等を引き起こすという問題があった。
【０００５】
本発明はこのような問題点に鑑みなされたもので、患者に適した検査の注意文書を作成することを目的とする。
【課題を解決するための手段】
【０００６】
そこで、本発明は、情報処理装置であって、予定される検査の種類に基づいて、前記検査の注意事項を特定する特定手段と、前記検査の対象となる患者の患者関連情報に基づいて、前記注意事項の重要度を決定する重要度決定手段と、前記重要度に基づいて、前記注意事項が記載された注意文書を作成する作成手段とを有することを特徴とする。
【発明の効果】
【０００７】
本発明によれば、患者に適した検査の注意文書を作成することができる。
【図面の簡単な説明】
【０００８】
【図１】情報処理装置のハードウェア構成を示す図である。
【図２】情報処理装置のソフトウェア構成を示す図である。
【図３】注意事項ＤＢのデータ構成を示す図である。
【図４】重要度ＤＢのデータ構成を示す図である。
【図５】患者ＤＢのデータ構成を示す図である。
【図６】注意文書作成処理を示すフローチャートである。
【図７】Ｓ６０３及びＳ６０４において得られた結果を示す図である。
【図８】注意文書を示す図である。
【図９】変更例に係る注意文書を示す図である。
【発明を実施するための形態】
【０００９】
以下、本発明の実施形態について図面に基づいて説明する。
【００１０】
図１は、第１の実施形態に係る情報処理装置１００のハードウェア構成を示す図である。情報処理装置１００は、ＣＰＵ１０１と、ＲＯＭ１０２と、ＲＡＭ１０３と、ＨＤＤ１０４と、表示部１０５と、入力部１０６と、ネットワークＩ／Ｆ部１０７とを有している。ＣＰＵ１０１は、ＲＯＭ１０２に記憶された制御プログラムを読み出し、情報処理装置１００の全体を制御するための各種処理を実行する。ＲＯＭ１０２は、変更を必要としないプログラムやパラメータを記憶する。ＲＡＭ１０３は、ＣＰＵ１０１の主メモリ、ワークエリア等の一時記憶領域として用いられる。ＨＤＤ１０４は、画像データや各種プログラム等各種情報を記憶する。表示部１０５は、各種情報を表示する。入力部１０６は、キーボードやマウスを有し、ユーザによる各種操作を受け付ける。
ネットワークＩ／Ｆ部１０７は、ネットワークを介して画像形成装置等の外部装置との通信処理を行う。なお、ネットワークとしては、イーサネット（登録商標）が挙げられる。また、他の例としては、ネットワークＩ／Ｆ部１０７は、無線により外部装置との通信を行ってもよい。バス１０８は、上記各部を互いに通信可能に接続するシステムバスである。
なお、後述する情報処理装置１００の機能や処理は、ＣＰＵ１０１がＲＯＭ１０２又はＨＤＤ１０４に格納されているプログラムを読み出し、このプログラムを実行することにより実現されるものである。
【００１１】
情報処理装置１００は、さらにメモリカード等を含む記憶装置（不図示）をさらに有してもよい。情報処理装置１００はまた、情報処理装置１００から着脱可能なフレキシブルディスク（ＦＤ）やCompact  Disk（ＣＤ）等の光ディスク、磁気や光カード、ＩＣカード、メモリカード等を含む記憶装置（不図示）をさらに有してもよい。
なお、本実施形態においては、情報処理装置１００は、単一のコンピュータ装置で実現されるものであるが、他の例としては、情報処理装置１００は、複数のコンピュータ装置により実現されてもよい。この場合には、各コンピュータ装置は、互いに通信可能にLocal  Area  Network（ＬＡＮ）やバス等で接続されるものとする。
【００１２】
図２は、情報処理装置１００の機能構成を示すブロック図である。情報処理装置１００は、機能構成として、注意事項ＤＢ２０１と、重要度ＤＢ２０２と、患者ＤＢ２０３と、注意事項特定部２０４と、重要度決定部２０５と、文書作成部２０６とを有している。
図３は、注意事項ＤＢ２０１のデータ構成を示す図である。注意事項ＤＢ２０１は、検査名と、注意文書に記載すべき注意事項の内容とを対応付けて記憶している。ここで、検査名は、検査の種類を示す情報の一例である。図３に示すように、１つの検査名に対し、複数の注意事項が対応付けられている。なお、１つの検査名に対し、１つの注意事項のみが対応付けられていてもよい。
【００１３】
図４は、重要度ＤＢ２０２のデータ構成を示す図である。重要度ＤＢ２０２は、注意事項と、患者関連情報と、重要度とを対応付けて記憶している。ここで、患者関連情報は、患者ＤＢ２０３に格納されている情報である。重要度は、重要度１及び重要度２を含んでいる。重要度１は、情報処理装置１００が作成する注意文書において、対応する注意事項を記載する記載順位を決定する際に参照される値である。本実施形態においては、重要度１には、「高」、「中」、「低」、「最低」の４段階が設定され得る。ここで、「最低」は、注意文書に記載しないことを示している。また、重要度２は、対応する注意事項を強調表示するか否かを決定する際に参照される値である。本実施形態においては、重要度２には、強調表示を行うことに対応する「１」と、強調表示を行わないことに対応する「０」が設定され得る。
例えば、「前日○時以降は食事を控えて下さい」という注意事項内容は、すべての患者に共通して伝えるべき内容であり、患者の生活習慣や服薬情報等に依存するものではない。このため、重要度１（記載順位）には「中」、重要度２（強調表示）には「−」が設定されている。ここで、「−」は常に強調表示を行わないことを示している。
【００１４】
また、「禁酒」、「禁煙」といった注意の必要性が患者の生活習慣に依存する注意事項内容は、患者関連情報が「０（無）」、「１（有）」のそれぞれの場合に対応して、重要度２（強調表示）に異なる値が設定されている。なお、患者に飲酒習慣、喫煙習慣が無い場合にも、注意事項を記載する必要はある。したがって、いずれの場合も重要度１（記載順位）は、「低」に設定されている。
また、薬の服用に関する注意事項は、薬の服用がある患者にとっては重要であるのに対し、服用のない患者にとっては不要な情報である。したがって、服用のある患者に対しては、重要度１（記載順位）「高」、重要度２（強調表示）「１（有）」が設定され、服用のない患者に対しては、記載しないことを示す重要度１（記載順位）「最低」が設定されている。
【００１５】
図５は、患者ＤＢ２０３のデータ構成を示す図である。患者ＤＢ２０３は、登録患者の患者ＩＤと、患者関連情報とを対応付けて記憶している。ここで、患者関連情報は、患者情報と、服薬情報と、生活習慣情報と、治療予定情報とを含んでいる。患者情報は、患者ＩＤ、患者名、年齢及び性別を含んでいる。患者ＩＤは、患者を一意に識別するための識別番号である。服薬情報は、患者が服用している服用薬剤の情報である。服薬情報に示される薬には、患者に処方された薬、問診票等によって申告された、他の診療科で処方された薬、及び市販薬等の情報が含まれる。なお、服薬情報には、薬名が記載されることとする。また、他の例としては、服薬情報には、例えば、「血圧降下剤」等薬の種類が記載されてもよい。
生活習慣情報は、アレルギーの有無、喫煙習慣の有無及び飲酒習慣の頻度を含んでいる。なお、生活習慣情報は、一日当たりの平均摂取アルコール量や睡眠時間をさらに含んでもよい。生活習慣情報は、例えば、問診票等によって申告された情報に基づいて作成される。治療予定情報は、患者に予定されている検査名、検査予定日時を含んでいる。
【００１６】
なお、注意事項ＤＢ２０１、重要度ＤＢ２０２及び患者ＤＢ２０３（以下、注意事項ＤＢ２０１等と称する）の情報は、医療従事者によって入力されるものとする。さらに、注意事項ＤＢ２０１等の情報は、医療従事者からの入力に応じて、適宜更新されてもよい。また、他の例としては、注意事項ＤＢ２０１等の情報は、他の装置において作成されたものであってもよい。この場合、ＣＰＵ１０１は、他の装置から情報を取得し、取得した情報を注意事項ＤＢ２０１等に登録する。
【００１７】
なお、医療従事者は、問診票等で患者の情報を得た際、患者に対して行う検査の検査名や検査日時が決定した際等に適宜患者関連情報を患者ＤＢ２０３に入力することとする。患者ＤＢ２０３への情報登録の例を具体的に説明する。まず、医療従事者により、新たな患者「Ｎａｍｅ１」の患者情報が入力されたとする。この場合、ＣＰＵ１０１は、新たな患者ＩＤ「１０００１」を発行し、これを患者ＤＢ２０３に登録する。そして、ＣＰＵ１０１は、患者ＩＤ「１０００１」に対応付けて、患者「Ｎａｍｅ１」を登録患者とし、患者「Ｎａｍｅ１」の患者情報を登録する。
その後、検査予定が決まると、医療従事者は、患者ＩＤ、又は患者名と共に、決定された検査に係る治療予定情報を入力する。そして、ＣＰＵ１０１は、入力された患者ＩＤ等に対応付けて、治療予定情報を登録する。
【００１８】
図２に戻り、注意事項特定部２０４は、例えば、医療従事者等から新たな検査予定情報を受け付ける。ここで、検査予定情報は、検査名（検査の種類）、検査を受ける患者の患者ＩＤ及び検査日時を含んでいる。注意事項特定部２０４は、検査予定情報を受け付けると、検査予定情報に含まれる検査名に基づいて、検査における注意事項を特定する。具体的には、注意事項特定部２０４は、検査名を検索条件として、注意事項ＤＢ２０１において検査名に対応付けられている注意事項を抽出する。例えば、検査予定情報に、検査名「大腸内視鏡」が含まれる場合には、図３に示される「大腸内視鏡」に対応付けられているすべての注意事項が抽出される。
【００１９】
重要度決定部２０５は、患者ＤＢ２０３から、検査予定情報に含まれる患者ＩＤに対応付けられている患者関連情報を抽出する。そして、重要度決定部２０５は、重要度ＤＢ２０２を参照し、患者関連情報に基づいて、注意事項特定部２０４により決定された各注意事項の重要度を決定する。本実施形態に係る重要度決定部２０５は、各注意事項に対し、重要度１及び重要度２を決定する。そして、重要度決定部２０５は、重要度１及び重要度２からそれぞれ記載順位及び強調表示の有無を決定する。
文書作成部２０６は、注意事項特定部２０４により決定された各注意事項を、重要度に基づいて表示する注意文書を作成する。具体的には、文書作成部２０６は、注意事項を記載順位に基づいて、順番に注意文書中に配置する。そして、文書作成部２０６は、配置された注目事項のうち、強調表示「有」と決定された注目事項に下線を引くことにより、強調して表示する。なお、強調表示の方法は、実施形態に限定されるものではない。他の例としては、文書作成部２０６は、注意事項の文字のサイズや色、フォントを変える、太字や斜体にする、網掛け表示する等の画像処理を行うことにより強調表示を行うこととしてもよい。
【００２０】
図６は、情報処理装置１００による、注意文書作成処理を示すフローチャートである。なお、医療従事者等により検査予定情報が入力されると、Ｓ６００において、注意事項特定部２０４は、検査予定情報を受け付ける。次に、Ｓ６０１において、注意事項特定部２０４は、注意事項ＤＢ２０１を参照し、検査予定情報に示される検査名に対応付けられている、注意事項を抽出する。ここで、Ｓ６０１の処理は、検査の種類に基づいて、注意事項を特定する特定処理の一例である。
次に、Ｓ６０２において、重要度決定部２０５は、患者ＤＢ２０３を参照し、検査予定情報に示される、検査の対象となる患者の患者ＩＤに対応付けられている、患者関連情報を抽出する。次に、Ｓ６０３において、重要度決定部２０５は、重要度ＤＢ２０２を参照し、Ｓ６０２において抽出された患者関連情報に基づいて、重要度１を決定し、重要度１に基づいて、各注意事項の記載順位を決定する（記載順位決定処理）。
【００２１】
次に、Ｓ６０４において、重要度決定部２０５は、重要度ＤＢ２０２を参照し、患者関連情報に基づいて、重要度２を決定し、重要度２に基づいて、各注意事項の強調表示の有無を決定する（強調表示決定処理）。ここで、Ｓ６０２及びＳ６０３の処理は、それぞれ重要度ＤＢ２０２を参照し、注意事項の内容及び患者関連情報に基づいて、第１の重要度及び第２の重要度を決定する重要度決定処理の一例である。次に、Ｓ６０５において、文書作成部２０６は、Ｓ６０４及びＳ６０５における決定事項に従い、注意文書を作成する（作成処理）。以上で、注意文書作成処理が完了する。
なお、Ｓ６０３及びＳ６０４の処理順番は実施形態に限定されるものではない。他の例としては、重要度決定部２０５は、Ｓ６０４の後にＳ６０３を行ってもよく、Ｓ６０３とＳ６０４とを並行して行ってもよい。
【００２２】
以下、図３〜図５に示す情報が各ＤＢ２０１〜２０３に登録された状態において、検査名「大腸内視鏡」、患者ＩＤ「１０００１」を含む検査予定情報が入力された場合を例に、注意文書作成処理について、より具体的に説明する。この場合、Ｓ６０１において、注意事項特定部２０４は、注意事項ＤＢ２０１から検査名「大腸内視鏡」に対応付けられているすべての注意事項を抽出する。このとき、検査の種類と、患者が通常服用している薬の組み合わせにより、薬の服用が可能か否かの注意事項が異なる。したがって、患者が服用し得る薬に関する注意事項もすべて抽出される。
次に、Ｓ６０２において、重要度決定部２０５は、患者ＤＢ２０３から患者ＩＤ「１０００１」に対応付けられている患者関連情報を抽出する。図７は、Ｓ６０３及びＳ６０４において得られた結果を示す図である。図７に示すように、Ｓ６０３及びＳ６０４の処理において、重要度決定部２０５は、「前日は○時以降の食事を控えて下さい」の注意事項は、患者関連情報に関わらず、重要度１（記載順位）を「中」に決定する。重要度決定部２０５は、「禁酒」の注意事項については、患者関連情報の生活習慣の飲酒の項を確認する。重要度決定部２０５は、患者ＩＤ「１０００１」の生活習慣の飲酒の項に「有」が格納されていることから、重要度１（記載順位）を「低」、重要度２（強調表示）を「１（有）」に決定する。
【００２３】
重要度決定部２０５は、「禁煙」の注意事項については、患者関連情報の生活習慣の喫煙が「有」であることから、重要度１（記載順位）を「低」、重要度２（強調表示）を「０（無）」に決定する。また、重要度決定部２０５は、「高血圧の薬は平常通り服用して下さい」の注意事項については、患者関連情報の服薬情報に血圧降下剤が記録されているか否かを確認する。重要度決定部２０５は、患者ＩＤ「１０００１」の服薬情報に「血圧降下剤Ａ」という血圧降下剤が記録されているので、重要度１（記載順位）を「高」、重要度２（強調表示）を「１（有）」に決定する。
さらに、重要度決定部２０５は、「抗血液凝固剤は服用しないで下さい」の注意事項については、患者関連情報の服用情報に抗血液凝固剤が記録されているか否かを確認する。重要度決定部２０５は、患者ＩＤ「１０００１」の服用情報に抗血圧凝固剤が記録されていないことから、重要度１（記載順位）を「最低」に設定する。
【００２４】
図８は、図７に示す結果から得られた注意文書８００を示す図である。Ｓ６０５において、文書作成部２０６は、図７に示す、注意事項特定部２０４により抽出された注意事項を記載順位に従って、注意文書中に配置する。このとき、重要度１（記載順位）「最低」が決定された注意事項は記載しない。このため、図７に示す例においては「抗血液凝固剤は服用しないで下さい」の注意事項は、注意文書に配置されない。さらに、文書作成部２０６は、重要度２（強調表示）が「１（有）」に設定されている注意事項に下線を引く等強調表示のための画像処理を施す。
【００２５】
以上のように、本実施形態に係る情報処理装置１００は、検査に対する注意文書を作成する際に、患者関連情報に基づいて、患者毎に注意文書に記載する注意事項、記載順位及び強調表示の有無を異ならせることができる。すなわち、情報処理装置１００は、患者に適した検査の注意文書を作成することができる。
【００２６】
次に、実施形態に係る情報処理装置１００の変更例としては、情報処理装置１００は、さらに患者名等を含む注意文書を作成してもよい。図９は、変更例に係る注意文書９００を示す図である。具体的には、文書作成部２０６は、患者ＤＢ２０３において、検査予定情報に含まれる患者ＩＤに対応付けられている患者関連情報のうち、患者名、服薬情報及び検査日時等の情報を抽出する。そして、文書作成部２０６は、抽出した情報を注意文書に記載する。
例えば、図３に示す例においては、患者ＩＤ「１０００１」に対し、文書作成部２０６は、患者名「Ｎａｍｅ１」、検査予定日「２０１３年８月６日」、服薬情報「血圧降下剤Ａ」を抽出する。そして、文書作成部２０６は、患者名「Ｎａｍｅ１」及び検査予定日「２０１３年８月６日」をそれぞれ注意文書９００中の「患者名」及び「検査予定日」の欄に埋め込む。文書作成部２０６はまた、服薬情報「血圧降下剤Ａ」に基づき「高血圧の薬（血圧降下剤Ａ）は平常通り服用して下さい」と記載する。
このように、患者の氏名等を記載することにより、患者にとって理解し易く、守りやすい注意文書を作成することができる。
【００２７】
＜その他の実施形態＞
また、本発明は、以下の処理を実行することによっても実現される。即ち、上述した実施形態の機能を実現するソフトウェア（プログラム）を、ネットワーク又は各種記憶媒体を介してシステム或いは装置に供給する。そして、そのシステム或いは装置のコンピュータ（又はＣＰＵやＭＰＵ等）がプログラムを読み出して実行する処理である。
【００２８】
以上、上述した各実施形態によれば、患者に適した検査の注意文書を作成することができる。
【００２９】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００３０】
１００  情報処理装置、１０１  ＣＰＵ、１０２  ＲＯＭ、１０３  ＲＡＭ、２０１  注意事項ＤＢ、２０３  患者ＤＢ、２０２  重要度ＤＢ、２０４  注意事項特定部、２０５  重要度決定部、２０６  文書作成部
【図１】
2015215796.tif 000003
【図２】
2015215796.tif 000004
【図３】
2015215796.tif 000005
【図４】
2015215796.tif 000006
【図５】
2015215796.tif 000007
【図６】
2015215796.tif 000008
【図７】
2015215796.tif 000009
【図８】
2015215796.tif 000010
【図９】
2015215796.tif 000011